(57)【要約】【課題】色収差を低減することで各色光を効率良く供給でき、かつコンパクトな構成の光源装置、及びその光源装置を用いるプロジェクタを提供すること。【解決手段】光を供給する光源部１０１、１０２と、光源部１０１、１０２側に凹面を向けて設けられた第１のミラー１０３と、第１のミラー１０３に対向して設けられた第２のミラー１０７と、を有し、第１のミラー１０３は、光源部１０１、１０２からの光を第２のミラー１０７の方向へ反射し、第２のミラー１０７は、第１のミラー１０３からの光を反射し、所定方向へ出射させる。【選択図】      図１
2006163018.tif 000002
【特許請求の範囲】
【請求項１】
光を供給する光源部と、
前記光源部側に凹面を向けて設けられた第１のミラーと、
前記第１のミラーに対向して設けられた第２のミラーと、を有し、
前記第１のミラーは、前記光源部からの光を前記第２のミラーの方向へ反射し、
前記第２のミラーは、前記第１のミラーからの光を反射し、所定方向へ出射させることを特徴とする光源装置。
【請求項２】
前記第１のミラーは、前記第２のミラーで反射した光を通過させる開口部を有することを特徴とする請求項１に記載の光源装置。
【請求項３】
前記第２のミラーは、前記第１のミラー側に凸面が向けられた曲面であることを特徴とする請求項１又は２に記載の光源装置。
【請求項４】
前記第２のミラーは、前記第１のミラー側に凹面が向けられた曲面であることを特徴とする請求項１又は２に記載の光源装置。
【請求項５】
前記第２のミラーは、略平坦な平面であることを特徴とする請求項１又は２に記載の光源装置。
【請求項６】
前記第１のミラー及び前記第２のミラーの少なくとも一方は、非球面形状の曲面であることを特徴とする請求項１〜５のいずれか一項に記載の光源装置。
【請求項７】
前記第２のミラーで反射した光を前記所定方向へ反射する第３のミラーを有することを特徴とする請求項１〜６のいずれか一項に記載の光源装置。
【請求項８】
請求項１〜７のいずれか一項に記載の光源装置と、
前記光源装置からの光を画像信号に応じて変調する空間光変調装置と、
前記空間光変調装置からの光を投写する投写光学系と、を有するプロジェクタ。
【発明の詳細な説明】
【技術分野】
【０００１】
本発明は、光源装置及びプロジェクタ、特に、複数の固体発光素子を備える光源装置の技術に関する。
【背景技術】
【０００２】
近年、プロジェクタの光源として、固体発光素子を用いることが提案されている。特に、固体発光素子である発光ダイオード（以下、「ＬＥＤ」という。）は、超小型、超軽量、長寿命であるという特徴を有する。また、ＬＥＤは、照明目的で用いるための開発、改良によって、高輝度化及び高効率化が図られている。このことから、プロジェクタの小型化及び低消費電力化を図るために、プロジェクタの光源装置にＬＥＤを用いることが期待されている。
【０００３】
現在開発されているＬＥＤをプロジェクタに用いる場合、明るい画像を得るためには、複数のＬＥＤを用いる必要がある。複数のＬＥＤを用いる場合、各ＬＥＤからの光を効率良く空間光変調装置に入射させることが望ましい。複数のＬＥＤからの光を効率良く空間光変調装置に入射させるための技術は、例えば、特許文献１に提案されている。
【０００４】
【特許文献１】特開２００１−３４３７０６号公報
【発明の開示】
【発明が解決しようとする課題】
【０００５】
特許文献１に提案されている構成には、複数のＬＥＤからの光を収束するためのレンズが用いられている。レンズを用いて結像する場合、色ごとに像の位置や大きさがずれる、いわゆる色収差が発生することがある。光源装置において色収差を生じると、特定の波長領域の光について利用効率が低下することから、色再現性が低下する場合がある。また、特許文献１に提案されている構成は、所定の焦点距離を確保するために光軸方向のサイズが大きくなってしまうと考えられる。このように、従来の技術では、色再現性が低下する場合がある上コンパクトな構成とすることが困難であるという問題を生じる。本発明は、上述の問題に鑑みてなされたものであり、色収差を低減することで各色光を効率良く供給でき、かつコンパクトな構成の光源装置、及びその光源装置を用いるプロジェクタを提供することを目的とする。
【課題を解決するための手段】
【０００６】
上述した課題を解決し、目的を達成するために、本発明によれば、光を供給する光源部と、光源部側に凹面を向けて設けられた第１のミラーと、第１のミラーに対向して設けられた第２のミラーと、を有し、第１のミラーは、光源部からの光を第２のミラーの方向へ反射し、第２のミラーは、第１のミラーからの光を反射し、所定方向へ出射させることを特徴とする光源装置を提供することができる。
【０００７】
光源部からの光は、第１のミラーで反射して第２のミラーの方向へ進行する。第１のミラーは光源部側に凹面を向けて設けられているため、第１のミラーで反射した光は第２のミラーに入射するまで収束する。第２のミラーに入射した光は、第２のミラーで反射した後所定方向へ出射する。光源装置は、第１のミラー及び第２のミラーを用いることで、光源部からの光を効率良く所定方向へ導くことができる。本発明には、第２のミラーで反射した光が直接所定方向へ進行する構成のほか、他の部材、例えば第３のミラーで進行方向が変換された後所定方向へ進行する構成も含まれる。
【０００８】
第１のミラー及び第２のミラーでは、いずれの波長領域の光も同様に反射作用を受ける。光源装置は、いずれの波長の光も同様に進行させることが可能であると、色収差を低減することができる。色収差を低減することにより、光源装置は、いずれの波長の光についても効率良く供給することができる。また、第１のミラー及び第２のミラーで光路を折り曲げることにより、光源装置をコンパクトな構成とすることができる。複数の光源部を設ける場合も、光源部を第２のミラーの周辺に配置することによって、光源装置を小型な構成とすることができる。これにより、色収差を低減することで各色光を効率良く供給でき、かつコンパクトな構成の光源装置を得られる。
【０００９】
また、本発明の好ましい態様によれば、第１のミラーは、第２のミラーで反射した光を通過させる開口部を有することが望ましい。第２のミラーで反射して第１のミラーの方向へ進行した光は、第１のミラーの開口部を通過して所定方向へ出射する。これにより、第２のミラーで反射した光を所定方向へ出射させることができる。
【００１０】
また、本発明の好ましい態様によれば、第２のミラーは、第１のミラー側に凸面が向けられた曲面であることが望ましい。第１のミラー側に凸面を向けた第２のミラーを用いることにより、第２のミラーで反射した光を発散させることができる。例えば、第１のミラーでの反射により収束した光を第２のミラーでの反射により発散させることにより、所定方向へ進行させる光を平行化することができる。
【００１１】
また、本発明の好ましい態様としては、第２のミラーは、第１のミラー側に凹面が向けられた曲面であることが望ましい。第１のミラー側に凹面を向けた第２のミラーを用いることにより、第２のミラーで反射した光を収束させることができる。これにより、所定方向へ進行させる光を収束させることができる。
【００１２】
また、本発明の好ましい態様としては、第２のミラーは、略平坦な平面であることが望ましい。これにより、第１のミラーから第２のミラーへ入射した光をそのまま折り曲げて進行させることができる。
【００１３】
また、本発明の好ましい態様としては、第１のミラー及び第２のミラーの少なくとも一方は、非球面形状の曲面であることが望ましい。これにより、球面収差を低減することができる。
【００１４】
また、本発明の好ましい態様としては、第２のミラーで反射した光を所定方向へ反射する第３のミラーを有することが望ましい。第２のミラーに入射した光は、第２のミラーで反射した後第３のミラーの方向へ進行する。第３のミラーに入射した光は、第３のミラーで反射した後所定方向へ出射する。これにより、光を所定方向へ出射させることができる。
【００１５】
さらに、本発明によれば、上記の光源装置と、光源装置からの光を画像信号に応じて変調する空間光変調装置と、空間光変調装置からの光を投写する投写光学系と、を有するプロジェクタを提供することができる。上記の光源装置を用いることにより、各色光を効率良く供給でき、かつコンパクトな構成にすることができる。これにより、各色光を効率良く供給することにより色再現性が良好で、かつ小型なプロジェクタを得られる。
【発明を実施するための最良の形態】
【００１６】
以下に図面を参照して、本発明の実施例を詳細に説明する。
【実施例１】
【００１７】
図１は、本発明の実施例１に係るプロジェクタ１００の概略構成を示す。プロジェクタ１００は、単独の空間光変調装置１３０を備える、いわゆる単板式のプロジェクタである。プロジェクタ１００は、光源装置１１０を有する。光源装置１１０は、光源部であるＬＥＤ１０１、１０２を有する。ＬＥＤ１０１、１０２は、赤色光（以下、「Ｒ光」という。）、緑色光（以下、「Ｇ光」という。）、青色光（以下、「Ｂ光」という。）を含む白色光を供給する。光源装置１１０からの光は、ロッドインテグレータ１２０に入射する。
【００１８】
ロッドインテグレータ１２０は、光源装置１１０からの光の強度分布を略均一にする。ロッドインテグレータ１２０は、四角柱形状の透明な硝子部材からなる。ロッドインテグレータ１２０に入射した光は、硝子部材と空気との界面において全反射を繰り返しながらロッドインテグレータ１２０の内部を進行する。ロッドインテグレータ１２０は、硝子部材を用いる中実構造とする場合に限らず、内面を反射面で構成する中空構造としても良い。内面を反射面とするロッドインテグレータの場合、ロッドインテグレータに入射した光は、反射面での反射を繰り返しながらロッドインテグレータの内部を進行する。また、ロッドインテグレータは、硝子部材と反射面とを組み合わせる構成としても良い。
【００１９】
ロッドインテグレータ１２０からの光は、空間光変調装置１３０に入射する。空間光変調装置１３０は、光源装置１１０からの光を画像信号に応じて変調する、透過型の液晶表示装置である。空間光変調装置１３０の各画素には、Ｒ光透過カラーフィルタ、Ｇ光透過カラーフィルタ、Ｂ光透過カラーフィルタが設けられている。
【００２０】
光源装置１１０からの光は、カラーフィルタでＲ光、Ｇ光、Ｂ光に分離された後変調される。また、空間光変調装置１３０は、カラーフィルタの他に、光源装置１１０からの光の一部をそのまま透過する透明部材をさらに設ける構成としても良い。光源装置１１０からの光の一部を透明部材でそのまま透過することで、投写像の輝度を向上させることができる。空間光変調装置１３０で変調された各色光は、投写光学系１４０によりスクリーン１５０に投写される。
【００２１】
光源装置１１０は、第１のミラー１０３及び第２のミラー１０７を有する。第１のミラー１０３は、非球面形状の曲面であって、ＬＥＤ１０１、１０２側に凹面を向けて設けられている。第１のミラー１０３の略中心には、開口部１０５が設けられている。第２のミラー１０７は、ＬＥＤ１０１、１０２の近傍であって、かつ第１のミラー１０３に対向する位置に設けられている。第２のミラー１０７は、非球面形状の曲面であって、第１のミラー１０３側に凸面を向けて設けられている。
【００２２】
第１のミラー１０３及び第２のミラー１０７は、いずれも中心位置が光軸ＡＸと略一致するように配置されている。光源装置１１０は、第２のミラー１０７の法線と第１のミラー１０３の法線とが略平行となるように、第１のミラー１０３と第２のミラー１０７とを配置している。かかる構成により、第１のミラー１０３からの光は、第２のミラー１０７で反射した後開口部１０５の方向へ反射する。開口部１０５は、第２のミラー１０７で反射した光を通過させることが可能な大きさで設けられている。
【００２３】
第１のミラー１０３の凹面、及び第２のミラー１０７の凸面には、高反射性の部材、例えば金属膜や誘電体多層膜が設けられている。なお、非球面とは、球面以外の曲面を示すものであって、放物面、双曲面や、その他の自由曲面を含む。第１のミラー１０３及び第２のミラー１０７の位置、大きさ、形状は、図示するものに限られない。第１のミラー１０３及び第２のミラー１０７は、第１のミラー１０３で反射した光が第２のミラー１０７へ入射し、かつ第２のミラー１０７で反射した光が開口部１０５を通過するように設けられていれば良い。
【００２４】
図２は、ＬＥＤ及び第２のミラー１０７の配置を説明するものであって、第１のミラー１０３の側からＬＥＤ及び第２のミラー１０７を見たときの平面構成である。第２のミラー１０７の周辺には、８つのＬＥＤが略等間隔で配置されている。図１では、８つのＬＥＤのうち、第２のミラー１０７を挟んで上下に配置されている２つのＬＥＤ１０１、１０２を示している。このように、複数のＬＥＤを第２のミラー１０７の周辺に配置することにより、光源装置１１０をコンパクトな構成にすることができる。なお、光源装置１１０は８つのＬＥＤを設ける構成に限らず、必要な光量に応じて適宜ＬＥＤの数を決定することができる。
【００２５】
図１に戻って、ＬＥＤ１０１、１０２を含む各ＬＥＤからの光は、第１のミラー１０３に入射する。第１のミラー１０３は、光源部であるＬＥＤからの光を第２のミラー１０７の方向へ反射する。ＬＥＤ側に凹面を向けて第１のミラー１０３を設けているため、第１のミラー１０３で反射した光は第２のミラー１０７に入射するまで収束する。第２のミラー１０７は、第１のミラー１０３からの光を反射し、第１のミラー１０３の開口部１０５の方向へ進行する。第２のミラー１０７から開口部１０５の方向へ進行した光は、開口部１０５を通過して、所定方向であるロッドインテグレータ１２０の方向へ進行する。
【００２６】
第１のミラー１０３側に凸面を向けて第２のミラー１０７を設けているため、第２のミラー１０７で反射した光は発散する。第２のミラー１０７に入射するまでに収束した光を略平行になるまで発散することにより、光源装置１１０は、略平行な光をロッドインテグレータ１２０の方向へ出射する。光源装置１１０は、第１のミラー１０３及び第２のミラー１０７を用いることで、ＬＥＤからの光を効率良くロッドインテグレータ１２０に導くことができる。なお、第２のミラー１０７は、ＬＥＤの近傍に配置する構成に限られない。第２のミラー１０７は、第１のミラー１０３で反射した光が入射する位置であれば良く、第１のミラー１０３から見てＬＥＤより近い位置や、ＬＥＤより遠い位置に配置することとしても良い。
【００２７】
第１のミラー１０３及び第２のミラー１０７では、いずれの波長領域の光も同様に反射作用を受ける。いずれの波長の光も同様に進行させることが可能であると、光源装置１１０の色収差を低減することができる。光源装置１１０の色収差を低減することにより、いずれの波長の光についても効率良く供給することができる。また、第１のミラー１０３及び第２のミラー１０７で光路を折り曲げることにより、光源装置１１０をコンパクトな構成とすることができる。さらに上述のように、ＬＥＤを第２のミラー１０７の周辺に配置することによっても、光源装置１１０を小型な構成とすることができる。
【００２８】
これにより、色収差を低減することで各色光を効率良く供給でき、かつコンパクトな構成とすることができるという効果を奏する。光源装置１１０により各色光を効率良く供給することで、プロジェクタ１００は、良好な色再現性を実現できる。また、光源装置１１０のＬＥＤと空間光変調装置１３０との距離を短くすることが可能であることから、プロジェクタ１００を小型にすることができる。プロジェクタ１００は、色収差についての考慮が不要となることから、簡易かつ容易に製造可能な構成とすることができる。
【００２９】
第１のミラー１０３及び第２のミラー１０７を非球面形状の曲面とすることで、光源装置１１０は、球面収差を低減することができる。ここで、光源装置１１０は、第１のミラー１０３及び第２のミラー１０７を非球面形状の曲面とする構成に限られない。第１のミラー１０３及び第２のミラー１０７の少なくとも一方を非球面形状の曲面とすることにより、光源装置１１０は、球面収差を低減することができる。また、第１のミラー１０３及び第２のミラー１０７は、所定の曲率を有する球面形状の曲面としても良い。
【００３０】
第２のミラー１０７は、第１のミラー１０３側に凸面が向けられた曲面とする場合に限られない。図３に示す光源装置３１０は、第１のミラー１０３側に凹面が向けられた曲面形状の第２のミラー３０７を有する。第１のミラー１０３側に凹面を向けて第２のミラー３０７を設けているため、第２のミラー３０７で反射した光は収束する。光源装置３１０は、ロッドインテグレータ１２０の方向へ進行させる光を収束させることができる。
【００３１】
図４は、本実施例の変形例１に係る光源装置４１０の構成を示す。光源装置４１０は、略平坦な平面状の第２のミラー４０７を有する。第１のミラー４０３は、上記の第１のミラー１０３（図１参照）と同様に、非球面形状の曲面である。上記の第１のミラー１０３には開口部１０５が設けられているのに対して、第１のミラー４０３には開口部は設けられていない。また、ＬＥＤ１０１、１０２及び第１のミラー４０３は、ＬＥＤ１０１、１０２から第１のミラー４０３に入射する光が、所定方向であるロッドインテグレータ１２０の方向に対して略垂直な方向へ進行するように配置されている。
【００３２】
第２のミラー４０７は、第１のミラー４０３で反射した光が入射する位置に設けられている。光源装置４１０は、第２のミラー４０７の法線と第１のミラー４０３の法線とが平行にならないように、第２のミラー４０７を傾けて配置している。かかる構成により、第１のミラー４０３からの光は、第２のミラー４０７で反射した後第１のミラー４０３の方向とは異なる所定方向へ進行する。
【００３３】
第１のミラー４０３は、ＬＥＤ１０１、１０２側に凹面を向けて設けられている。このため、第１のミラー４０３で反射した光は第２のミラー４０７に入射するまで収束する。第２のミラー４０７は、第１のミラー４０３からの光をそのまま折り曲げて所定方向であるロッドインテグレータ１２０の方向へ進行させる。第２のミラー４０７は第１のミラー４０３からの収束光をそのまま折り返すため、ロッドインテグレータ１２０の方向へ進行させる光をそのまま収束させる。
【００３４】
図５は、本実施例の変形例２に係る光源装置５１０の構成を示す。光源装置５１０は、第１のミラー４０３、第２のミラー１０７のほかに、第３のミラー５０８を有する。第３のミラー５０８は、略平坦な平面である。ＬＥＤ１０１、１０２及び第１のミラー４０３は、ＬＥＤ１０１、１０２から第１のミラー４０３に入射する光が、所定方向であるロッドインテグレータ１２０の方向に対して略垂直な方向へ進行するように配置されている。
【００３５】
第３のミラー５０８は、第１のミラー４０３及び第２のミラー１０７の間の位置であって、第２のミラー１０７で反射した光が入射する位置に設けられている。光源装置５１０は、第３のミラー５０８の法線と第２のミラー１０７の法線とが平行にならないように、第３のミラー５０８を傾けて配置している。かかる構成により、第２のミラー１０７からの光は、第３のミラー５０８で反射した後第２のミラー１０７の方向とは異なる所定方向へ進行する。
【００３６】
第１のミラー４０３で反射した光は、第２のミラー１０７で反射した後第３のミラー５０８に入射する。第３のミラー５０８は、第２のミラー１０７からの光をそのまま折り曲げて所定方向であるロッドインテグレータ１２０の方向へ進行させる。なお、ロッドインテグレータ１２０に入射させる光は、第１のミラー４０３及び第２のミラー１０７の形状に応じて収束又は平行化させることができる。なお、本実施例では光源部として白色光を供給するＬＥＤを用いることとしているが、白色光を供給するＬＥＤに代えて、例えばＲ光を供給するＲ光用ＬＥＤと、Ｇ光を供給するＧ光用ＬＥＤと、Ｂ光を供給するＢ光用ＬＥＤとを用いても良い。
【実施例２】
【００３７】
図６は、本発明の実施例２に係るプロジェクタ６００の概略構成を示す。上記実施例１のプロジェクタ１００と同一の部分には同一の符号を付し、重複する説明は省略する。本実施例のプロジェクタ６００は、３つの空間光変調装置１３０Ｒ、１３０Ｇ、１３０Ｂを備える、いわゆる３板式のプロジェクタである。プロジェクタ６００は、Ｒ光用光源装置１１０Ｒと、Ｇ光用光源装置１１０Ｇと、Ｂ光用光源装置１１０Ｂとを有する。
【００３８】
Ｒ光用光源装置１１０Ｒ、Ｇ光用光源装置１１０Ｇ、Ｂ光用光源装置１１０Ｂは、いずれも上記実施例１の光源装置１１０（図１参照）と同様の構成を有する。Ｒ光用光源装置１１０Ｒは、光源部として、Ｒ光を供給するＲ光用ＬＥＤ１０１Ｒを有する。Ｒ光用光源装置１１０ＲからのＲ光は、ロッドインテグレータ１２０Ｒを透過した後、空間光変調装置１３０Ｒに入射する。空間光変調装置１３０Ｒは、Ｒ光用光源装置１１０ＲからのＲ光を画像信号に応じて変調する。空間光変調装置１３０Ｒで変調された光は、クロスダイクロイックプリズム１３５に入射する。
【００３９】
Ｇ光用光源装置１１０Ｇは、光源部として、Ｇ光を供給するＧ光用ＬＥＤ１０１Ｇを有する。Ｇ光用光源装置１１０ＧからのＧ光は、ロッドインテグレータ１２０Ｇを透過した後、空間光変調装置１３０Ｇに入射する。空間光変調装置１３０Ｇは、Ｇ光用光源装置１１０ＧからのＧ光を画像信号に応じて変調する。空間光変調装置１３０Ｇで変調された光は、Ｒ光とは異なる面からクロスダイクロイックプリズム１３５に入射する。
【００４０】
Ｂ光用光源装置１１０Ｂは、光源部として、Ｂ光を供給するＢ光用ＬＥＤ１０１Ｂを有する。Ｂ光用光源装置１１０ＢからのＢ光は、ロッドインテグレータ１２０Ｂを透過した後、空間光変調装置１３０Ｂに入射する。空間光変調装置１３０Ｂは、Ｂ光用光源装置１１０ＢからのＢ光を画像信号に応じて変調する。空間光変調装置１３０Ｂで変調された光は、Ｒ光及びＧ光とは異なる面からクロスダイクロイックプリズム１３５に入射する。
【００４１】
クロスダイクロイックプリズム１３５は、第１のダイクロイック膜１３５ａと第２のダイクロイック膜１３５ｂとをＸ字状に配列して構成されている。第１のダイクロイック膜１３５ａは、Ｒ光を反射し、Ｇ光及びＢ光を透過する。第２のダイクロイック膜１３５ｂは、Ｂ光を反射し、Ｇ光及びＲ光を透過する。クロスダイクロイックプリズム１３５に入射したＲ光は、第１のダイクロイック膜１３５ａで反射して、投写光学系１４０の方向へ進行する。
【００４２】
クロスダイクロイックプリズム１３５に入射したＧ光は、第１のダイクロイック膜１３５ａ及び第２のダイクロイック膜１３５ｂを透過して、投写光学系１４０の方向へ直進する。クロスダイクロイックプリズム１３５に入射したＢ光は、第２のダイクロイック膜１３５ｂで反射して、投写光学系１４０の方向へ進行する。クロスダイクロイックプリズム１３５は、このようにして各色光を合成する。
【００４３】
プロジェクタ６００は、各色光用光源装置１１０Ｒ、１１０Ｇ、１１０Ｂを用いることにより、上記実施例１のプロジェクタ１００と同様に、良好な色再現性を実現でき、かつプロジェクタ１００を小型にすることができる。さらに、各色光用光源装置１１０Ｒ、１１０Ｇ、１１０Ｂがいずれの波長の光についても効率良く供給できることから、各色光について略同一の構成の光学系を用いることが可能である。このことから、プロジェクタ６００をシンプルかつ容易に製造可能な構成にできる。なお、各色光用光源装置１１０Ｒ、１１０Ｇ、１１０Ｂは、上記の光源装置１１０と同様の構成とするほか、上記実施例１の他の光源装置と同様の構成としても良い。
【実施例３】
【００４４】
図７は、本発明の実施例３に係るプロジェクタ７００の概略構成を示す。上記実施例１のプロジェクタ１００と同一の部分には同一の符号を付し、重複する説明は省略する。光源装置７１０は、上記実施例１の光源装置１１０（図１参照）と同様の構成を有する。光源装置７１０は、光源部として、Ｒ光用ＬＥＤ１０１Ｒ、Ｇ光用ＬＥＤ１０１Ｇ、及び不図示のＢ光用ＬＥＤを有する。光源装置７１０からの光は、ロッドインテグレータ１２０を透過した後、空間光変調装置７３０に入射する。
【００４５】
空間光変調装置７３０は、光源装置７１０からの各色光を画像信号に応じて変調するティルトミラーデバイスである。ティルトミラーデバイスの例の一つは、テキサス・インスツルメンツ社のＤＭＤ（登録商標）である。プロジェクタ７００は、単独の空間光変調装置７３０を用いてＲ光、Ｇ光、Ｂ光を順次変調するように、光源装置７１０からＲ光、Ｇ光、Ｂ光を順次供給する。光源装置７１０は、Ｒ光、Ｇ光、Ｂ光を順次供給するようにＲ光用ＬＥＤ１０１Ｒ、Ｇ光用ＬＥＤ１０１Ｇ、Ｂ光用ＬＥＤを順次点灯させる。空間光変調装置７３０で変調された光は、投写光学系１４０に入射する。プロジェクタ７００は、光源装置７１０を用いることにより、上記実施例１のプロジェクタ１００と同様に、良好な色再現性を実現でき、かつプロジェクタ７００を小型にすることができる。
【００４６】
なお、上記各実施例のプロジェクタは、空間光変調装置として透過型の液晶表示装置やティルトミラーデバイスを用いるほか、例えば反射型の液晶表示装置を用いることとしても良い。プロジェクタは、スクリーン１５０で反射する光を観察することで画像を鑑賞する、いわゆるフロント投写型のプロジェクタに限られない。本発明は、スクリーンの一方の面に光を供給し、スクリーンの他方の面から出射される光を観察することで画像を鑑賞する、いわゆるリアプロジェクタにも適用することができる。また、上記各実施例の光源装置は、光源部としてＬＥＤを用いているが、これに限られない。ＬＥＤに代えて、例えばＥＬ素子や半導体レーザ等の他の固体発光素子を用いても良い。
【産業上の利用可能性】
【００４７】
以上のように、本発明に係る光源装置は、プロジェクタの光源装置として有用であり、特に、複数の固体発光素子を用いる場合に適している。
【図面の簡単な説明】
【００４８】
【図１】本発明の実施例１に係るプロジェクタの概略構成図。
【図２】ＬＥＤ及び第２のミラーの配置を説明する図。
【図３】第１のミラー側に凹面が向けられた第２のミラーを設ける構成の説明図。
【図４】実施例１の変形例１に係る光源装置の概略構成図。
【図５】実施例１の変形例２に係る光源装置の概略構成図。
【図６】本発明の実施例２に係るプロジェクタの概略構成図。
【図７】本発明の実施例３に係るプロジェクタの概略構成図。
【符号の説明】
【００４９】
１００  プロジェクタ、１０１、１０２  ＬＥＤ、１０３  第１のミラー、１０５  開口部、１０７  第２のミラー、１１０  光源装置、１２０  ロッドインテグレータ、１３０  空間光変調装置、１４０  投写光学系、１５０  スクリーン、ＡＸ  光軸、３０７  第２のミラー、３１０  光源装置、４０３  第１のミラー、４０７  第２のミラー、４１０  光源装置、５０８  第３のミラー、５１０  光源装置、６００  プロジェクタ、１０１Ｒ  Ｒ光用ＬＥＤ、１０１Ｇ  Ｇ光用ＬＥＤ、１０１Ｂ  Ｂ光用ＬＥＤ、１１０Ｒ  Ｒ光用光源装置、１１０Ｇ  Ｇ光用光源装置、１１０Ｂ  Ｂ光用光源装置、１２０Ｒ、１２０Ｇ、１２０Ｂ  ロッドインテグレータ、１３０Ｒ、１３０Ｇ、１３０Ｂ  空間光変調装置、１３５  クロスダイクロイックプリズム、１３５ａ、１３５ｂ  ダイクロイック膜、７００  プロジェクタ、７１０  光源装置、７３０  空間光変調装置
【図１】
2006163018.tif 000003
【図２】
2006163018.tif 000004
【図３】
2006163018.tif 000005
【図４】
2006163018.tif 000006
【図５】
2006163018.tif 000007
【図６】
2006163018.tif 000008
【図７】
2006163018.tif 000009